【手続補正書】
【提出日】平成18年6月15日(2006.6.15)
【手続補正１】
【補正対象書類名】明細書
【補正対象項目名】発明の名称
【補正方法】変更
【補正の内容】
【発明の名称】欠陥画素補正方法および欠陥画素補正方法を用いた投射型表示装置
【手続補正２】
【補正対象書類名】明細書
【補正対象項目名】特許請求の範囲
【補正方法】変更
【補正の内容】
【特許請求の範囲】
【請求項１】
３個の表示パネルの映像を合成し、投射する投射型表示装置において、
前記３個の表示パネルのうち欠陥画素を有する表示パネルを特定し、
前記欠陥画素の座標を特定し、
前記３個の表示パネルのうち前記欠陥画素を有する表示パネル以外の表示パネルにおいて、前記欠陥画素の座標と同座標の画素の輝度を下げることを特徴とする欠陥画素補正方法。
【請求項２】
３個の表示パネルの映像を合成し、投射する投射型表示装置において、
前記３個の表示パネルのうち欠陥画素を有する表示パネルを特定し、
前記欠陥画素の座標を特定し、
前記３個の表示パネルのうち前記欠陥画素を有する表示パネル以外の表示パネルにおいて、前記欠陥画素の座標と同座標の画素の輝度を下げる補正データに基づき補正テーブルを作成し、
前記補正テーブルに基づいて変換されたデジタルビデオデータをもとに映像を表示することを特徴とする欠陥画素補正方法。
【請求項３】
３個の表示パネルの映像を合成し、投射する投射型表示装置において、
前記３個の表示パネルのうち欠陥画素を有する表示パネルを特定し、
前記欠陥画素の座標を特定し、
前記３個の表示パネルのうち前記欠陥画素を有する表示パネル以外の表示パネルにおいて、前記欠陥画素の座標と同座標の画素の輝度を下げる補正データを作成し、
前記補正データを補正メモリに記憶し、補正テーブルを作成し、
前記補正テーブルに基づいて変換されたデジタルビデオデータをもとに映像を表示することを特徴とする欠陥画素補正方法。
【請求項４】
請求項１乃至請求項３のいずれか一項において、
前記３個の表示パネルは、赤の映像を表示する表示パネル、青の映像を表示する表示パネル及び緑の映像を表示する表示パネルであることを特徴とする欠陥画素補正方法。
【請求項５】
請求項１乃至請求項４のいずれか一項において、
前記３個の表示パネルの各々は、液晶パネルであることを特徴とする欠陥画素補正方法。
【請求項６】
３個の表示パネルと、
前記３個の表示パネルの映像を合成し、投射する光学手段と、
前記３個の表示パネルにおいて、欠陥画素を有する表示パネルが存在するとき、前記欠陥画素を有する表示パネル以外の表示パネルにおいて、前記欠陥画素の座標と同座標の画素の輝度を下げる手段とを有する投射型表示装置。
【請求項７】
３個の表示パネルと、
前記３個の表示パネルの映像を合成し、投射する光学手段と、
前記３個の表示パネルにおいて、欠陥画素を有する表示パネルが存在するとき、前記欠陥画素を有する表示パネル以外の表示パネルにおいて、前記欠陥画素の座標と同座標の画素の輝度を下げる補正データに基づき補正テーブルを作成する手段と、
前記欠陥画素を有する表示パネル以外の表示パネルにおいて、前記補正テーブルに基づいて変換されたデジタルビデオデータをもとに映像を表示する手段とを有する投射型表示装置。
【請求項８】
請求項６又は請求項７において、
前記３個の表示パネルは、赤の映像を表示する表示パネル、青の映像を表示する表示パネル及び緑の映像を表示する表示パネルであることを特徴とする投射型表示装置。
【請求項９】
請求項６乃至請求項８のいずれか一項において、
前記３個の表示パネルの各々は、液晶パネルであることを特徴とする投射型表示装置。
【手続補正３】
【補正対象書類名】明細書
【補正対象項目名】００１３
【補正方法】変更
【補正の内容】
【００１３】
本願発明は、投射型の表示装置において、１つの表示パネルが欠陥画素を有する場合、他の２つの表示パネルにおいて、前記欠陥画素と同座標の画素の輝度を下げる補正を行う。こうすることによって、３つ表示パネルの映像を合成映像において欠陥画素が目立たなくなり、映像の劣化を極力防ぐことができる。
【手続補正４】
【補正対象書類名】明細書
【補正対象項目名】００１７
【補正方法】変更
【補正の内容】
【００１７】
そこで、本願発明の投射型表示装置では、赤の映像を表示する表示パネルおよび青の映像を表示する表示パネルにおいて、緑の映像を表示する表示パネルの欠陥画素と同座標の画素の輝度を下げる（画素１０２および画素１０３）補正を行う。こうすることによって、カラー映像で欠陥画素が目立たなくなり（画素１０４）、映像の劣化を極力防ぐことができる。
【手続補正５】
【補正対象書類名】明細書
【補正対象項目名】００２０
【補正方法】変更
【補正の内容】
【００２０】
本明細書で開示する発明は、
３個の表示パネルを有する投射型表示装置において、
前記表示装置のうち欠陥画素を有する表示装置を特定するステップと、
前記欠陥画素の座標を特定するステップと、
前記表示装置のうち前記欠陥画素を有する表示装置以外の表示装置において、前記欠陥画素の座標と同座標の画素の輝度を下げるステップと、
を有する欠陥画素補正システムである。
【手続補正６】
【補正対象書類名】明細書
【補正対象項目名】００２１
【補正方法】変更
【補正の内容】
【００２１】
本明細書で開示する他の発明は、
３個の表示パネルを有する投射型表示装置において、
前記表示装置のうち欠陥画素を有する表示装置を特定するステップと、
前記欠陥画素の座標を特定するステップと、
前記表示装置のうち前記欠陥画素を有する表示装置以外の表示装置において、前記欠陥画素の座標と同座標の画素の輝度を下げるデータに基づき補正テーブルを作成するステップと、
を有する欠陥画素補正システムである。
【手続補正７】
【補正対象書類名】明細書
【補正対象項目名】００２２
【補正方法】変更
【補正の内容】
【００２２】
本明細書で開示する他の発明は、
３個の表示パネルを有する投射型表示装置において、
前記表示装置のうち欠陥画素を有する表示装置を特定するステップと、
前記欠陥画素の座標を特定するステップと、
前記表示装置のうち前記欠陥画素を有する表示装置以外の表示装置において、前記欠陥画素の座標と同座標の画素の輝度を下げるデータを作成するステップと、
前記データを記憶し補正テーブルを作成するステップと、
を有する欠陥画素補正システムである。
【手続補正８】
【補正対象書類名】明細書
【補正対象項目名】００２３
【補正方法】変更
【補正の内容】
【００２３】
また、本明細書で開示する発明において、表示パネルは、液晶パネルであってもよい。
【手続補正９】
【補正対象書類名】明細書
【補正対象項目名】００２４
【補正方法】変更
【補正の内容】
【００２４】
本明細書で開示する他の発明は、
光源手段と、
前記光源手段から出射された光を３つの光に分離する分離手段と、
３個の表示パネルと、
前記３個の表示パネルの映像を合成し、スクリーンに投射する光学手段と、
を有する投射型表示装置において、
前記表示パネルに画素欠陥が存在するとき、前記表示装置のうち前記欠陥画素を有する表示装置以外の表示装置において、前記欠陥画素の座標と同座標の画素の輝度を下げることを特徴とする投射型表示装置である。
【手続補正１０】
【補正対象書類名】明細書
【補正対象項目名】００２５
【補正方法】変更
【補正の内容】
【００２５】
本明細書で開示する他の発明は、
光源手段と、
前記光源手段から出射された光を３つの光に分離する分離手段と、
３個の表示パネルと、
前記３個の表示パネルの映像を合成し、スクリーンに投射する光学手段と、
を有する投射型表示装置において、
前記表示パネルに画素欠陥が存在するとき、前記表示装置のうち前記欠陥画素を有する表示装置以外の表示装置において、補正テーブルに基づき前記欠陥画素の座標と同座標の画素の輝度を下げることを特徴とする投射型表示装置である。
【手続補正１１】
【補正対象書類名】明細書
【補正対象項目名】００２６
【補正方法】変更
【補正の内容】
【００２６】
また、本明細書で開示する発明において、前記表示パネルは、液晶パネルであってもよい。
【手続補正１２】
【補正対象書類名】明細書
【補正対象項目名】００４０
【補正方法】変更
【補正の内容】
【００４０】
当該欠陥画素が存在する液晶パネルが赤の液晶パネルであれば、その欠陥画素が黒点かどうかを確認する。その欠陥画素が黒点であれば、欠陥画素座標入力回路に欠陥画素の座標を入力する。欠陥画素座標入力回路は、緑と青の液晶パネルに映像を供給するデジタルビデオデータ補正回路に欠陥画素の座標を送出する。デジタルビデオデータ補正回路は、欠陥画素と同座標の画素の輝度を下げるデータを作成し、補正メモリに記憶する。
【手続補正１３】
【補正対象書類名】明細書
【補正対象項目名】００４１
【補正方法】変更
【補正の内容】
【００４１】
当該欠陥画素が存在する液晶パネルが緑の液晶パネルであれば、その欠陥画素が黒点かどうかを確認する。その欠陥画素が黒点であれば、欠陥画素座標入力回路に欠陥画素の座標を入力する。欠陥画素座標入力回路は、青と赤の液晶パネルに映像を供給するデジタルビデオデータ補正回路に欠陥画素の座標を送出する。デジタルビデオデータ補正回路は、欠陥画素と同座標の画素の輝度を下げるデータを作成し、補正メモリに記憶する。
【手続補正１４】
【補正対象書類名】明細書
【補正対象項目名】００４２
【補正方法】変更
【補正の内容】
【００４２】
当該欠陥画素が存在する液晶パネルが赤の液晶パネルでもなく緑の液晶パネルでもない場合は、青の液晶パネルに欠陥画素が存在することになる。この場合も、その欠陥画素が黒点かどうかを確認する。その欠陥画素が黒点であれば、欠陥画素座標入力回路に欠陥画素の座標を入力する。欠陥画素座標入力回路は、赤と緑の液晶パネルに映像を供給するデジタルビデオデータ補正回路に欠陥画素の座標を送出する。デジタルビデオデータ補正回路は、欠陥画素と同座標の画素の輝度を下げるデータを作成し、補正メモリに記憶する。
【手続補正１５】
【補正対象書類名】明細書
【補正対象項目名】００４９
【補正方法】変更
【補正の内容】
【００４９】
本実施例では、本発明の投射型表示装置の例としてリアプロジェクタを示す。図５に液晶パネルを３枚用いた本発明の投射型表示装置の概略構成図を示す。８００１は光源であり、白色光源が用いられる。８００２、８００３、８００４および８００５はダイクロイックミラーであり、一定の波長を有する光のみを反射し、他の光を透過させる。８００２は赤の光のみを反射し、他の光を透過する。同様に、８００３および８００４は青の光のみを反射し、他の光を透過する。また、８００５は緑の光のみを反射し、他の光を透過する。８００６および８００７は全反射ミラーである。８００８、８００９および８０１０は液晶パネルであり、それぞれ、赤、青、緑の映像を表示する。